(57)【要約】【目的】熱風炉の改修を安全且つ効率良く行うことができる熱風炉の改修方法を提供する。【構成】改修すべき被改修熱風炉部分を撤去した後に、新たに製作した改修熱風炉部分２Ａ，３Ａを据え付ける。この据付工程にあっては、予め、熱風炉設置面５上に組立用架構４１を立設し、組立用架構４１の上部から熱風炉設置場所へと延びる水平移送路４５を形成しておく。そして、改修熱風炉部分２Ａ，３Ａを分割した形状をなす複数の炉体部分を製作して、これらの炉体部分を組立用架構４１内において改修熱風炉部分２Ａ，３Ａに組み立てる。次に、組み立てた改修熱風炉部分２Ａ，３Ａを組立用架構４１の上部に設けた油圧ジャッキにより水平移送路４５上にもたらして、水平移送路４５から被改修熱風炉部分の撤去場所上へと移送し、改修熱風炉部分２Ａ，３Ａを当該撤去場所に据え付ける。【選択図】        図２
2005139482.tif 000002
【特許請求の範囲】
【請求項１】
改修すべき被改修熱風炉部分を撤去する撤去工程と被改修熱風炉部分を撤去した後において新たに製作された改修熱風炉部分を据え付ける据付工程とからなる熱風炉の改修方法であって、
据付工程が、予め、熱風炉設置面上に、当該熱風炉における被改修熱風炉部分の下端部に対応する高さを有する組立用架構を立設すると共にこの組立用架構の上部から熱風炉設置場所へと延びる水平移送路を形成した上で、行なわれるものであり、改修熱風炉部分を上下方向に分割した構成をなす複数の炉体部分を製作する製作工程と、これらの炉体部分を、当該改修熱風炉部分の上部側を構成するものから順に組立用架構内に搬入して、組立用架構内において組み立てる組立工程と、組み立てられた改修熱風炉部分を、組立用架構の上部に設けた油圧ジャッキにより組立用架構内から水平移送路上にもたらした上、水平移送路から被改修熱風炉部分の撤去場所上へと移送する移送工程と、改修熱風炉部分を当該撤去場所に据え付ける最終組立工程と、を具備することを特徴とする熱風炉の改修方法。
【請求項２】
組立工程において、組立用架構内で組み立てられた改修熱風炉部分を、所定の溶接を行なった上で、地上にて焼鈍するようにしたことを特徴とする、請求項１に記載する熱風炉の改修方法。
【請求項３】
組立工程において、焼鈍された改修熱風炉部分に対して、地上にて補強リンク゛の取付、内面耐火物の吹付施工及び 保温，塗装処理を行なうようにしたことを特徴とする、請求項２に記載する熱風炉の改修方法。
【請求項４】
組立工程において、各炉体部分の組立用架構への搬入を、熱風炉設置面上に形成された搬出入路を走行する搬入用台車により行なうようにしたことを特徴とする、請求項１、請求項２又は請求項３に記載する熱風炉の改修方法。
【請求項５】
上下高さの高い炉体部分については、当該炉体部分に一体形成した搬入用台車により組立用架構内に搬入させるようにすることを特徴とする、請求項４に記載する熱風炉の改修方法。
【請求項６】
燃焼炉の改修工程においては前記改修熱風炉部分が複数の改修燃焼炉部分からなり、各改修燃焼炉部分が、下位のものから順に前記各工程を経て撤去場所に据え付けられることを特徴とする、請求項１、請求項２、請求項３又は請求項４に記載する熱風炉の改修方法。
【請求項７】
撤去工程が、予め、熱風炉の設置面上に、当該熱風炉における被改修熱風炉部分の下端部に対応する高さを有する組立用架構を立設すると共にこの組立用架構の上部から熱風炉設置場所へと延びる水平移送路を形成した上で、行なわれるものであり、被改修熱風炉部分を非改修熱風炉部分から分離して水平移送路上にもたらす分離工程と、被改修熱風炉部分を水平移送路から組立用架構の上部へと移送する移送工程と、被改修熱風炉部分を組立用架構の上部に設けた油圧ジャッキにより組立用架構の底部に仮置きする仮置工程と、組立用架構内において被改修熱風炉部分を解体する解体工程と、解体された被改修熱風炉部分を組立用架構外に搬出する搬出工程と、を具備することを特徴とする、請求項１、請求項２、請求項３、請求項４、請求項５又は請求項６に記載する熱風炉の改修方法。
【請求項８】
燃焼炉の撤去工程においては、分離工程の開始前に、被改修熱風炉部分の下部にこれを径方向に貫通する複数の落下防止ロッドを設けておくことにより、被改修熱風炉部分の分離時における煉瓦の崩落を防止するようにしたことを特徴とする、請求項７に記載する熱風炉の改修方法。
【請求項９】
燃焼炉の撤去工程においては、解体工程が被改修熱風炉部分を複数の炉体部分に分離する作業を含むものであり、この分離作業においては、鉄皮をガス切断すると共に煉瓦をワイヤーソーにより切断することを特徴とする、請求項７又は請求項８に記載する熱風炉の改修方法。
【請求項１０】
蓄熱炉の撤去工程においては、分離工程の開始前に、被改修熱風炉部分内に積層されたギッター煉瓦をこれに貫通させたロッド又はパイプと共にコンクリートにより固化させておくようにすることを特徴とする、請求項７、請求項８又は請求項９に記載する熱風炉の改修方法。
【請求項１１】
搬出工程において、クレーンにより搬出し得ない解体物については、熱風炉設置面上に形成された搬出入路を走行しうる搬出用台車により、組立用架構外に搬出させることを特徴とする、請求項７、請求項８、請求項９又は請求項１０に記載する熱風炉の改修方法。
【発明の詳細な説明】
【技術分野】
【０００１】
本発明は、蓄熱炉及び燃焼炉を備えた熱風炉の改修方法に関するものである。
【背景技術】
【０００２】
熱風炉は高炉１基に対して３〜４基が並設されており、これらの熱風炉１を交互に切り換えて使用するものであり、適当年数毎に不使用状態にある熱風炉を改修することが行われている。
【０００３】
而して、熱風炉の改修は、改修すべき被改修熱風炉部分を撤去する撤去工程と被改修熱風炉部分を撤去した後において新たに製作された改修熱風炉部分を据え付ける据付工程とによって行われるが、従来にあっては、撤去工程及び据付工程を、被改修熱風炉部分及び改修熱風炉部分を複数の炉体部分に分割して行うようにしているのが普通である。
【０００４】
すなわち、撤去工程にあっては、被改修部分を複数の炉体部分に分割して、上方のものから順にクレーンにより撤去するのであり、据付工程にあっては、被改修熱風炉部分を複数の炉体部分に分離した形態で製作し、各炉体部分を、下部側のものから順にクレーン及び油圧ジャッキを使用して据え付けるのであり、これらの工程は高炉の高炉の改修方法（特許文献１参照）と同様である。
【特許文献１】特公昭５３−３９３２２号公報
【発明の開示】
【発明が解決しようとする課題】
【０００５】
しかし、かかる従来の改修方法は、炉体部分をクレーンによりワイヤロープを使用して高所へと移送させるために、甚だ危険であった。特に、据付工程においては、被改修熱風炉部分が撤去された場所（既設の非改修熱風炉部分の上面場所）において改修熱風炉部分を直接に組み立てるために、炉内作業が必要となるが、かかる炉内作業は作業者に過酷な労働を強いると共に危険であった。また、各炉体部分が重量物であるため、これらの移送には大型のクレーンを使用する必要があった。勿論、被改修熱風炉部分及び改修熱風炉部分の分割数を多くして、各炉体部分の軽量化を図ることも考えられるが、このようにすると、改修作業を効率良く行うことができず、作業に要する日数が膨大なものとなる。更に、分割された両被改修熱風炉部分にまたがるダブリング等補強材が工場製作時、とりつけられず、高所で取り付ける作業が生じ、上記同様の危険且つ非効率な作業を余儀なくされた。
【０００６】
本発明は、このような問題を解決して、熱風炉の改修を安全且つ効率良く行うことができる熱風炉の改修方法を提供することを目的とするものである。
【課題を解決するための手段】
【０００７】
本発明は、改修すべき被改修熱風炉部分を撤去する撤去工程と被改修熱風炉部分を撤去した後において新たに製作された改修熱風炉部分を据え付ける据付工程とからなる熱風炉の改修方法であって、据付工程が、予め、熱風炉設置面上に、当該熱風炉における被改修熱風炉部分の下端部に対応する高さを有する組立用架構を立設すると共にこの組立用架構の上部から熱風炉設置場所へと延びる水平移送路を形成した上で、次のような工程を具備する熱風炉の改修方法を提案するものである。すなわち、据付工程は、改修熱風炉部分を上下方向に分割した構成をなす複数の炉体部分を製作する製作工程と、これらの炉体部分を、当該改修熱風炉部分の上部側を構成するものから順に組立用架構内に搬入して、組立用架構内において組み立てる組立工程と、組み立てられた改修熱風炉部分を、組立用架構の上部に設けた油圧ジャッキにより組立用架構内から水平移送路上にもたらした上、水平移送路から被改修熱風炉部分の撤去場所上へと移送する移送工程と、改修熱風炉部分を当該撤去場所に据え付ける最終組立工程と、を具備するものである。
【０００８】
かかる改修方法にあっては、組立工程において、組立用架構内で組み立てられた改修熱風炉部分の溶接後に、焼鈍、更には炉内面耐火物施工・炉外面塗装・保温施工を据付前に地上において行なうようにすることが好ましい。また、組立工程において、各炉体部分の組立用架構への搬入を、熱風炉設置面上に敷設された搬出入路を走行する搬入用台車により行なうようにすることが好ましい。この場合、上下高さの高い炉体部分については、道路高さ制限をクリヤ-する為、当該炉体部分に一体形成した搬入用台車により組立用架構内に搬入させるようにすることが好ましい。
【０００９】
また、好ましい実施の形態にあっては、撤去工程を、予め、熱風炉の設置面上に、当該熱風炉における被改修熱風炉部分の下端部に対応する高さを有する組立用架構を立設すると共にこの組立用架構の上部から熱風炉設置場所へと延びる水平移送路を形成した上で、次のような工程を経て行なわれる。すなわち、撤去工程は、被改修熱風炉部分を非改修熱風炉部分から分離して水平移送路上にもたらす分離工程と、被改修熱風炉部分を水平移送路から組立用架構の上部へと移送する移送工程と、被改修熱風炉部分を組立用架構の上部に設けた油圧ジャッキにより組立用架構の底部に仮置きする仮置工程と、組立用架構内において被改修熱風炉部分を解体する解体工程と、解体された被改修熱風炉部分を組立用架構外に搬出する搬出工程と、を具備する。而して、燃焼炉の撤去工程においては、分離工程の開始前に、被改修熱風炉部分の下部にこれを径方向に貫通する複数の落下防止ロッドを設けておくことにより、被改修熱風炉部分の分離時における煉瓦の崩落を防止するようにすることが好ましい。また、燃焼炉の撤去工程においては、解体工程が被改修熱風炉部分を複数の炉体部分に分離する作業を含むものであり、この分離作業においては、鉄皮をガス切断すると共に煉瓦をワイヤーソーにより切断することが好ましい。一方、蓄熱炉の撤去工程においては、分離工程の開始前に、被改修熱風炉部分内に積層されたギッター煉瓦をこれに貫通させたロッド又はパイプと共にコンクリートにより固化させておくようにすることが好ましい。
【発明の効果】
【００１０】
本発明の熱風炉の改修方法によれば、大型クレーンを使用することなく、被改修熱風炉部分ないし改修熱風炉部分を出来る限り分割しない形態で撤去し又は据え付けることができ、撤去工程及び据付工程を含む改修作業の効率アップ及び改修期間の短縮を図ることができる。しかも、撤去された被改修熱風炉部分の解体又は据え付けるべき改修熱風炉の組立を、熱風炉外の地上（例えば、組立用架構内）で行うようにするため、熱風炉と組立用架構との間における被改修熱風炉部分又は改修熱風炉部分の移送をクレーンによらずに行うこととも相俟って、熱風炉の改修作業を極めて安全に行うことができる。
【発明を実施するための最良の形態】
【００１１】
図１〜図１１は本発明の実施の形態を示すものであり、図１は熱風炉及び架構を示す平面図であり、図２はその側面図であり、図３はその正面図であり、図４は熱風炉の側面図であり、図５〜図２８は改修作業の工程図である。
【００１２】
この実施の形態は、図１に示す如く、左右方向に並列配置された４基の熱風炉１のうち右端側のものを改修する例に関するものである。改修しようとする熱風炉１は蓄熱炉２と燃焼炉３とを具備してなるものであり、図４に示す如く、蓄熱炉２は上側ドーム部２１と下側ドーム部２２とコニカル部２３と上側直胴部２４と下側直胴部２５とで構成されており、燃焼室３は上側ドーム部３１と下側ドーム部３２とコニカル部３３と上側直胴部３４と中間直胴部３５と下側直胴部３６とで構成されているが、この例では、上側ドーム部２１から上側直胴部２４に至る蓄熱炉部分２Ａ及び上側ドーム部３１から中間直胴部３５に至る熱風炉部分３Ａを改修すべき被改修熱風炉部分としている。
【００１３】
而して、かかる被改修熱風炉部分たる被改修蓄熱炉部分２Ａ及び被改修燃焼炉部分３Ａを改修するに当たっては、予め、次のような架構４を熱風炉設置面５上に立設しておく。
【００１４】
すなわち、この架構４は、図１及び図２に示す如く、熱風炉１外に位置する組立用架構４１と、改修しようとする熱風炉１の蓄熱炉２及び燃焼炉３を夫々囲繞する蓄熱炉用架構４２及び燃焼炉用架構４３と、組立用架構４１と蓄熱炉用架構４２との間を連結する連結架構４４とからなり、これらの架構４１〜４４の上部には水平移送路４５が形成されている。組立用架構４１は、クレーン作業等を熱風炉１に干渉されることなく行いうる位置であって、改修しようとする熱風炉１の近傍に配置されている。各架構４１，４２，４３，４４は、被改修蓄熱炉部分２Ａの下端部（上側直胴部２４の下端部）に対応する高さのものとされている。組立用架構４１の上部には４組の油圧ジャッキ４１ａを設置する設置用架台４１ｂが設けられており、燃焼室用架構４３の上部には搬出入用架台４３ａが設けられている。油圧ジャッキ４１aとしては、一般に、ロッド４１ｃを昇降させるロッド式のリフトアップジャッキが使用される。水平移送路４５は、燃焼炉用架構４３を除く架構４１，４２，４４の上面に形成されており、移送台車６を組立用架構４１と蓄熱炉用架構４２との間を連結架構４４を経て走行自在に支持する一連の第１水平移送路４５ａと、第１水平移送路４５ａより高位に位置して、搬出入用架台４３ａの上面に形成された第２水平移送路４５ｂと、移送台車６上に載置可能な嵩上げ架台７の上面に形成された第３水平移送路４５ｃとからなる。移送台車６は、第１水平移送路４５ａの始端部（組立用架構４１上に位置する第１水平移送路部分）において、油圧ジャッキ４１ａにより第１水平移送路４５ａと組立用架構４１との間で昇降移動させうるものである。第２水平移送路４５ｂと第３水平移送路４５ｃとは、嵩上げ架台７が載置された移送台車６を第１水平移送路４５ａの終端部（蓄熱炉用架構４２上に位置する第１水平移送路部分）に位置させたときにおいて接続されて、一連の水平路を構成するものである。また、熱風炉設置面５上には、組立用架構４１の底部へと導かれた搬出入路８が形成されていて、搬入用台車９及び搬出用台車１０を組立用架構４１内外に亘って走行させうるようになっている。
【００１５】
熱風炉１の改修は、このような架構４等を構築した上で、次のような手順で行われる。
【００１６】
まず、熱風炉１の炉頂部分（蓄熱炉２における上側ドーム部２１及び燃焼炉３における上側ドーム部３１）を一般的な手法により解体，撤去した上で、被改修蓄熱炉部分２Ａ（上側ドーム部２１を除く）の撤去工程が行われる。この撤去工程は、図５（１）〜（３）及び図６（５）（６）に示す如く、被改修蓄熱炉部分２Ａを非改修蓄熱炉部分（下側直胴部２５）から分離して水平移送路４５上にもたらす分離工程と、被改修蓄熱炉部分２Ａを水平移送路４５から組立用架構４１上へと移送する移送工程と、被改修蓄熱炉部分２Ａを組立用架構４１の上部に設けた油圧ジャッキ４１ａにより組立用架構４１の底部５ａに仮置きする仮置工程と、組立用架構４１内において被改修蓄熱炉部分２Ａを解体する解体工程と、解体された被改修蓄熱炉部分２Ａを組立用架構４１外に搬出する搬出工程とからなる。
【００１７】
すなわち、分離工程においては、上側直胴部２４と下側直胴部２５との間を切離して、非改修蓄熱炉部分である下側直胴部２５より上方の被改修蓄熱炉部分２Ａを一体として分離する。そして、この被改修蓄熱炉部分２Ａを図示しない油圧ジャッキ等により第１水平移送路４５ａの終端部に待機する移送台車６上に載置する。
【００１８】
移送工程では、被改修蓄熱炉部分２Ａを、これを載置した移送台車６を走行させることにより、第１水平移送路４５ａ上を移送させて（図５（１））、組立用架構４１上にもたらす。かかる移送台車６の走行は図示しない油圧シリンダによって行われる。
【００１９】
仮置工程においては、組立用架構４１上にもたらされた被改修蓄熱炉部分２Ａを、油圧ジャッキ４１ａにより組立用架構４１内へと下降させて（図５（２））、組立用架構４１の底部５ａに載置（仮置き）させる（同図（３））。かかる被改修蓄熱炉部分２Ａの下降は、これを載置する移送台車６にロッド４１ｃの下端部を連結した上、当該ロッド４１ｃを下降させることにより行われる。
【００２０】
解体工程及び搬出工程においては、組立用架構４１の底部５ａに仮置きされた被改修蓄熱炉部分２Ａを複数部分２１ａ〜２１ｇに解体し、各解体物２１ａ〜２１ｇを上方のものから順にクレーン１１により組立用架構４１外に搬出する（図６（４）〜（６））。かかる解体作業は、熱風炉設置場所のような高所で行う場合と異なって、組立用架構４１内の低所で行うものであるから、作業者に過酷な労働を強いるものでなく、安全且つ効率良く行うことができる。また、各解体物２１ａ〜２１ｇは軽量の小ブロックとできるから、これらの搬出には、従来のような大型のクレーン（４５０トン程度）を使用する必要がなく、より小型のクレーン（例えば、１５０トン程度のクローラクレーン）１１を使用することができる。
【００２１】
かかる被改修蓄熱炉部分２Ａの撤去工程が終了すると、引き続いて、被改修燃焼炉部分３Ａ（上側ドーム部３１を除く）の撤去工程が行われる。この例では、被改修燃焼炉部分３Ａの撤去工程が、下側ドーム部３２及びコニカル部３３からなる第１被改修燃焼炉部分３ａと上側直胴部３４である第２被改修燃焼炉部分と中間直胴部３５である第３被改修燃焼炉部分とに分けて行われる。
【００２２】
まず、第１被改修燃焼炉部分３ａの撤去工程が行われる。この撤去工程は、図６（７）及び図７〜図１０に示す如く、第１被改修燃焼炉部分３ａを上側直胴部３４から分離して水平移送路４５上にもたらす分離工程と、第１被改修燃焼炉部分３ａを水平移送路４５から組立用架構４１上へと移送する移送工程と、第１被改修燃焼炉部分３ａを組立用架構４１の上部に設けた油圧ジャッキ４１ａにより組立用架構４１の底部５ａに仮置きする仮置工程と、組立用架構４１内において第１被改修燃焼炉部分３ａを解体する解体工程と、解体された第１被改修燃焼炉部分３ａを組立用架構４１外に搬出する搬出工程とからなる。
【００２３】
すなわち、分離工程においては、第１被改修燃焼炉部分３ａを上側直胴部３４から分離すると共に、被改修蓄熱炉部分２Ａの撤去工程の終了時点において組立用架構４１の底部５ａに残留する移送台車６上に、クレーン１１により嵩上げ架台７を載置する（図６（７））。次に、嵩上げ架台７を載置した移送台車６を油圧ジャッキ４１ａにより上昇させて、第１水平移送路４５ａの始端部上にもたらした上、第１水平移送路４５の終端部へと走行させる（図７（８））。そして、移送台車６を第１水平移送路４５の終端部に位置させると共に、分離された第１被改修燃焼炉部分３ａを図示しない油圧ジャッキ等により搬出入架台４３ａの上面たる第２水平移送路４５ｂ上に載置する（図７（９））。
【００２４】
移送工程では、まず、第１被改修燃焼炉部分３ａを、搬出入架台４３ａの上面たる第２水平移送路４５ｂから嵩上げ架台７の上面たる第３水平移送路４５ｃへと移動させて嵩上げ架台７上に載置する（図７（１０））。そして、第１被改修燃焼炉部分３ａを載置させた状態で、嵩上げ架台７を載置した移送台車６を第１水平移送路４５ａの始端部へと移送させて（図７（１１））、組立用架構４１上にもたらす。
【００２５】
仮置工程においては、組立用架構４１上にもたらされた第１被改修燃焼炉部分３ａを、移送台車６にロッド４１ｃを連結した油圧ジャッキ４１ａにより、組立用架構４１内へと下降させ（図８（１２））、組立用架構４１の底部５ａに載置（仮置き）させる（同図（１３））。
【００２６】
解体工程及び搬出工程においては、まず、油圧ジャッキ４１ａと移送台車６との連結を解除すると共に、各油圧ジャッキ４１ａを、第１被改修燃焼炉部分３ａに連結できる位置まで対向方向に水平移動させる（図８（１４））。そして、油圧ジャッキ４１ａにより第１被改修燃焼炉部分３ａを嵩上げ架台７から上方へ離間させると共に、移送台車６を搬出入路８から組立用架構４１外へと走行させて、嵩上げ架台７を組立用架構４１外に搬出する（図８（１５））。しかる後、油圧ジャッキ４１ａにより第１被改修燃焼炉部分３ａを下降させて、組立用架構４１の底部５ａに設置した枕木１２上に載置させる（図９（１６））と共に、各油圧ジャッキ４１ａを元の位置（移送台車６を昇降させ得る位置）に復帰させる。次に、第１被改修燃焼炉部分３ａを複数部分に解体する。この例では、第１被改修燃焼炉部分３ａを、クレーン１１によって搬出できる程度に小さな上側部分３２ａと、クレーン１１によっては搬出し得ないが、高さ制限や重量制限を受けることなく搬出用台車１０によって搬送できる程度に大きな下側部分３２ｂとに解体する。そして、上側部分３２ａをクレーン１１により組立用架構４１外へ搬出し（図９（１７））、下側部分３２ｂを搬出用台車１０によって組立用架構４１外に搬出する（同図（１８））。
【００２７】
次に、第２被改修燃焼炉部分（上側直胴部）３４の撤去工程が行われる。この撤去工程にあっては、まず、嵩上げ架台７を載置した移送台車６を搬出入路８から組立用架構４１内に搬入し（図９（１９））、嵩上げ架台７上に、クレーン１１により、移動台車及び油圧ジャッキを備えた輸送架台１３をセットする（図１０（２０））。そして、嵩上げ架台７及び輸送架台１３を有する移送台車６を、油圧ジャッキ４１ａにより第１水平移送路４５ａ上にもたらして、その終端部へと走行させる（図１０（２１））。移送台車６が第１水平移送４５ａの終端部に位置されると、輸送架台１３を嵩上げ架台７上の第３水平移送路４５ｃから搬出入架台４３ａ上の第２水平移送路４５ｂへと移動させた上、第２被改修燃焼炉部分３４を輸送架台１３内に格納する（図１０（２２）〜（２４））。次に、輸送架台１３を、第１水平移送路４５ａの終端部で待機する嵩上げ架台７上に移動させる（図１１（２５））。そして、輸送架台１３内に格納されている第２被改修燃焼炉部分３４を下降させて嵩上げ架台７内に格納すると共に、輸送架台１３を再び搬出入架台４３ａ上に復帰させる（図１１（２６））。しかる後、第２被改修燃焼炉部分３４を格納した状態で、嵩上げ架台７を載置した移送台車６を第１水平移送路４５ａの始端部へと移送させて組立用架構４１上にもたらし、油圧ジャッキ４１ａにより、組立用架構４１内へと下降させて、組立用架構４１の底部５ａに載置（仮置き）させる（図１１（２７）〜図１２（３０））。そして、組立用架構４１内において、第２被改修燃焼炉部分３４を複数部分３４ａ…に解体し、各解体物３４ａをクレーン１１により組立用架構４１外に搬出する（図１２（３０））。
【００２８】
最後に、第３被改修燃焼炉部分（中間直胴部）３５の撤去工程が行われる。この撤去工程は、上記した第２被改修燃焼炉部分３４の解体工程と同一に行われる。
【００２９】
このように、被改修熱風炉部分を大ブロック形態で撤去し、地上（組立用架構４１内）で解体するようにしたから、熱風炉設置場所で解体作業を行う場合に比して、極めて安全且つ効率良く撤去工程を行うことができる。燃焼炉３の撤去工程においては、分離工程の開始前に、被改修熱風炉部分の下部にこれを径方向に貫通する複数の落下防止ロッドを設けて、被改修熱風炉部分の分離時における煉瓦の崩落を防止することができる。また、被改修熱風炉部分を複数部分に分離，解体する場合、その作業は被改修熱風炉部分の外部から行うことにより、より安全に行うことができる。例えば、鉄皮をガス切断し、煉瓦をワイヤーソーにより切断するのである。また、蓄熱炉の撤去工程において、分離工程の開始前に、被改修蓄熱炉部分内に積層されたギッター煉瓦をこれに貫通させたロッド又はパイプと共にコンクリートにより固化させておくようにする。このようにすれば、被改修蓄熱炉部分を一体として又は大ブロック形態で非改修蓄熱炉部分から分離させる場合にも、ギッタ煉瓦が落下するような危険を確実に回避することができ、被改修蓄熱炉部分の撤去作業を安全に行うことができる。
【００３０】
而して、上記したようにして被改修蓄熱炉部分２Ａ（上側ドーム部２１を含む）及び被改修燃焼炉部分３Ａ（上側ドーム部３１を含む）が撤去された後においては、まず、撤去された燃焼炉部分に相当する構造のものであって新たに製作された改修熱風炉部分（以下「改修燃焼炉部分」という）の据付工程が行われる。この例では、改修燃焼炉部分の据付工程が、中間直胴部３５である第１改修燃焼炉部分と上側直胴部３４である第２改修燃焼炉部分とドーム部３１，３２及びコニカル部３３からなる第３改修燃焼炉部分３ｂとに分けて行われる。なお、第１改修燃焼炉部分３５及び第２改修燃焼炉部分３４は、何れも、クレーン１１によりハンドリングできる程度の重量のものである。
【００３１】
まず、第１改修燃焼炉部分（中間直胴部）３５を非改修燃焼炉部分である下側直胴部３６の上面部に据え付ける据付工程が行われる。この据付工程にあっては、まず、第１改修燃焼炉部分３５を上下方向に分割した構成をなす複数の炉体部分を製作し、これらの炉体部分を地組場で鉄皮肌合せ溶接等により組み立てる。そして、組み立てられた第１改修燃焼炉部分３５を、クレーン１１により、組立用架構４１内に待機する移送台車６上に載置された嵩上げ架台７内
に格納する（図１３（３１）（３２））。次に、第１改修燃焼炉部分３５を格納した状態で、嵩上げ架台７を載置した移送台車６を、油圧ジャッキ４１ａにより上昇させて、第１水平移送路４５ａ上にもたらし、当該移送路４５ａを終端部へと走行させる（図１３（３３），図１４（３４））。移送台車６が第１水平移送路４５ａの終端部に位置すると、搬出入架台４３ａ上に待機させた油圧ジャッキ付きの輸送台車１４を嵩上げ架台７上に移動させた上、嵩上げ架台７内に格納されている第１改修燃焼炉部分３５を上昇させて、これを輸送台車１４上に載置させる（図１４（３５）（３６））。そして、輸送台車１４を再び搬出入架台４３ａ上に移動させた上、第１改修燃焼炉部分３５を輸送台車１４上から搬出入架台４３ａを通過して燃焼炉用架構４３内へと下降させて（図１４（３７）（３８））、非改修燃焼炉部分である下側直胴３６上に据え付ける。
【００３２】
第１改修燃焼炉部分３５の据え付けが完了すると、引き続き、第２改修燃焼炉部分３４の据付工程が開始される。この据付工程は、図１５及び図１６に示す如く、第２改修燃焼炉部分３４の組立工程を組立用架構４１内で行う点を除いて、第１改修燃焼炉部分３５の据付工程と同一である。すなわち、第２改修燃焼炉部分３４を上下方向に分割した構成をなす２つの炉体部分３４ａ，３４ｂを製作して、第２改修燃焼炉部分３４の下部側を構成する第１炉体部分３４ａを、クレーン１１により、組立用架構４１内に待機する移送台車６上に載置された嵩上げ架台７内に格納し、更に第２改修燃焼炉部分３４の上部側を構成する第２炉体部分３４ｂを、クレーン１１により、第１炉体部分３４ａ上にセットして、両炉体部分３４ａ，３４ｂを鉄皮肌合せ溶接等により第２改修燃焼炉部分３４に組み立てる（図１５（３９）〜（４１））。そして、組み立てられた第２改修燃焼炉部分３４を嵩上げ架台７内に格納した状態で、移送台車６を油圧ジャッキ４１ａにより上昇させて、第１水平移送路４５ａ上にもたらし、当該移送路４５ａを終端部へと走行させる（図１５（４２），図１６（４３））。移送台車６が第１水平移送路４５ａの終端部に位置すると、搬出入架台４３ａ上に待機させた輸送台車１４を嵩上げ架台７上に移動させた上、嵩上げ架台７内に格納されている第２改修燃焼炉部分３４を上昇させて、これを輸送台車１４上に載置させる（図１６（４４）（４５））。そして、輸送台車１４を再び搬出入架台４３ａ上に移動させた上、第２改修燃焼炉部分３４を輸送台車１４上から搬出入架台４３ａを通過して燃焼炉用架構４３内へと下降させて（図１６（４６）（４７））、先に据え付けられた第１改修燃焼炉部分３５上に据え付ける。
【００３３】
第２改修燃焼炉部分３４の据え付けが完了すると、第３改修燃焼炉部分３ｂの据付工程が開始され、この据付工程によって燃焼炉３の改修が終了する。この据付工程は、図１７〜図１９に示す如く、第３改修熱風炉部分３ｂを上下方向に分割した構成をなす複数の炉体部分を製作する製作工程と、これらの炉体部分を、当該改修燃焼炉部分３ｂの上部側を構成するものから順に組立用架構４１内に搬入して、組立用架構４１内において組み立てる組立工程と、組み立てられた第３改修燃焼炉部分３ｂを、組立用架構４１の上部に設けた油圧ジャッキ４１ａにより組立用架構４１内から水平移送路４５上にもたらした上、水平移送路４５から、先に据え付けられた第２改修燃焼炉部分３４上へと移送する移送工程と、第３改修燃焼炉部分３ｂを第２改修燃焼炉部分３４上に据え付ける最終組立工程とからなる。
【００３４】
すなわち、製作工程においては、ドーム部３１，３２に相当する第１炉体部分３１ａとコニカル部３３に相当する第２炉体部分３１ｂとが製作される。
【００３５】
組立工程においては、まず、第１炉体部分３１ａを搬入用台車９により組立用架構４１内に搬入する（図１７（４８））。搬入用台車９を組立用架構４１から搬出した後、第１炉体部分３１ａにチルローラをセットして、これにより第１炉体部分３１ａの向きを変更（旋回）した上で、油圧ジャッキ４１ａにより第１炉体部分３１ａを所定量上昇させると共に、その下方に搬入用台車９により第２炉体部分３１ｂを搬入させる（図１７（４９）〜（５１））。そして、第２炉体部分３１ｂを組立用架構４１の底部５ａにセットした枕木１２上に載置させると共に搬入用台車９を組立用架構４１外に排出した上、第１炉体部分３１ａを油圧ジャッキ４１ａにより下降させて、両炉体部分３１ａ，３１ｂを鉄皮肌合せ溶接等により第３改修燃焼炉部分３ｂに組み立てる（図１８（５２））。しかる後、組み立てられた第３改修燃焼炉部分３ｂを油圧ジャッキ４１ａにより上昇させると共に嵩上げ架台７を載置した移送台車６を搬出入路８から第３改修燃焼炉部分３ｂ下に搬入した上、第３改修燃焼炉部分３ｂを下降させて嵩上げ架台７上に載置する（図１８（５３）（５４））。次に、各油圧ジャッキ４１ａを相互間隔が拡大する方向に水平移動させて、ロッド４１ｃを移送台車６に連結する（図１８（５５））。
【００３６】
移送工程及び最終組立工程においては、第３改修燃焼炉部分３ｂを嵩上げ架台７上に載置させた状態で、移送台車６を油圧ジャッキ４１ａにより上昇させて、第１水平移送路４５ａの始端部上にもたらした上、移送台車６を第１水平移送路４５ａを走行させて、第１水平移送路４５ａの終端部に位置させる（図１９（５６）〜（５８））。そして、第３改修燃焼炉部分３ｂを、嵩上げ架台７上から搬出入架台４３ａ上へと移動させた上、搬出入架台４３ａ上から先に据え付けられた第２改修燃焼炉部分３４の上面に衝合するまで下降させて、第２改修燃焼炉部分３４上に据え付ける（図１９（５９）（６０））。
【００３７】
以上のようにして、第１改修燃焼炉部分３５、第２改修燃焼炉部分３４及び第３改修燃焼炉部分３ｂの据え付けが完了すると、次に、被改修蓄熱炉部分２Ａに相当する構造のものであって新たに製作された改修熱風炉部分（以下「改修蓄熱炉部分」という）の据付工程が行われる。この例では、上側ドーム部２１、下側ドーム部２２、コニカル部２３及び上側直胴部２４からなる改修蓄熱炉部分２Ａを据付前において架構４１内で完全に組み立てる。
【００３８】
まず、改修蓄熱炉部分２Ａを非改修蓄熱炉部分である下側直胴部２５の上部に据え付ける据付工程が行われる。この据付工程は、図２０〜図２５に示す如く、改修蓄熱炉部分２Ａを上下方向に分割した構成をなす複数の炉体部分を製作する製作工程と、これらの炉体部分を、当該改修蓄熱炉部分２ｂの上部側を構成するものから順に組立用架構４１内に搬入して、組立用架構４１内において組み立てる組立工程と、組み立てられた改修蓄熱炉部分２Ａを、組立用架構４１の上部に設けた油圧ジャッキ４１ａにより組立用架構４１内から水平移送路４５上にもたらした上、水平移送路４５から非改修蓄熱炉部分２６上へと移送する移送工程と、改修蓄熱炉部分２Ａを非改修蓄熱炉部分２６上に据え付ける最終組立工程とからなる。
【００３９】
すなわち、製作工程においては、ドーム部２１，２２から下部を除いたものに相当する第１炉体部分２２ａと当該ドーム部２１，２２の下部とコニカル部２３とからなるものに相当する第２炉体部分２２ｂと上側直胴部２４の上半分に相当する第３炉体部分２２ｃと上側直胴部２４の下半分に相当する第４炉体部分２２ｄとが各別に製作される。
【００４０】
組立工程においては、まず、第１炉体部分２２ａを搬入用台車９により組立用架構４１内に搬入する（図２０（６０））。このとき、第１炉体部分２２ａの形状を工夫して、当該炉体部分２２ａに台車９を一体形成しておくことにより、台車９による搬送高さを低減することができ、搬入高さ制限がある場合にも、第１炉体部分２２ａの高さを可及的に高くできる。すなわち、図２６及び図２４に示す如く、第１炉体部分２２ａの下部を一部切欠して、この切欠部２２ｆに台車９を嵌挿させて、第１炉体部分２２ａと台車９とを一体構造物となしておく。このようにしておけば、第１炉体部分２２ａを大ブロックとなしても、高さ制限の影響を受けることなく、架構４１内に搬入させることができる。なお、この切欠部２２ｆは、後述する如く、架構４１に搬入後に溶接にて塞がれる。
【００４１】
そして、搬入用台車９を第１炉体部分２２ａの切欠部２２ｆから外して組立用架構４１から搬出した後、第１炉体部分２２ａにチルローラをセットして、これにより第１炉体部分２２ａの向きを変更（旋回）させる（図２０（６２）〜（６３））。しかる後、第１炉体部分２２ａの切欠部２２ｆを、図２８に示す如く、閉塞部材２２ｅを溶接することにより閉塞する。次いで、油圧ジャッキ４１ａにより第１炉体部分２２ａを所定量上昇させると共に、その下方に搬入用台車９により第２炉体部分２２ｂを搬入させる（図２１（６４）（６５））。そして、第２炉体部分２２ｂを組立用架構４１の底部５ａにセットした枕木１２上に載置させた上、第１炉体部分２２ａを油圧ジャッキ４１ａにより下降させて、両炉体部分２２ａ，２２ｂを鉄皮肌合せ溶接等により連結する（図２１（６６））。なお、前記閉塞部材の溶接は、かかる両炉体部分２２ａ，２２ｂの連結作業の一環として行なうことも可能である。
【００４２】
爾後、同様の作業を繰り返すことにより、第１〜第４炉体部分２２ａ〜２２ｄを相互に連結して、第１改修蓄熱炉部分２ａを組立用架構４１内で組み立てる（図２１（６７）〜図２３（７２））。すなわち、連結された第１及び第２炉体部分２２ａ，２２ｂと組立用架構４１内に新たに搬入された第３炉体部分２２ｃとを連結し、更に、連結された第１〜第３炉体部分２２ａ，２２ｂ，２２ｃと組立用架構４１内に新たに搬入された第４炉体部分２２ｄとを連結するのである。
【００４３】
移送工程及び最終組立工程においては、上記のようにして組立用架構４１内で組み立てられた改修蓄熱炉部分２Ａを、油圧ジャッキ４１ａにより昇降させることにより、搬出入路８から組立用架構４１内に搬入させた移送台車６上に載置する（図２４（７３）〜（７５））。そして、各油圧ジャッキ４１ａを相互間隔が拡大する方向に水平移動させて、ロッド４１ｃを移送台車６に連結した上、第１改修蓄熱炉部分２ｂを載置させた状態で、移送台車６を油圧ジャッキ４１ａにより上昇させて、第１水平移送路４５ａの始端部上にもたらす（図２５（７６）〜（７７））。しかる後、移送台車６を第１水平移送路４５ａの終端部へと走行させて、第１改修蓄熱炉部分２ｂを非改修蓄熱炉部分である下側直胴部２５の直上位に位置させ、改修蓄熱炉部分２Ａを下側直胴部２５上に据え付けて（図２５（７８））、熱風炉１の改修を終了する。
【００４４】
このように、組立用架構４１内を含む地上で大ブロックの改修熱風炉部分に組み立てた上で、据え付けるようにしたから、多数の小ブロックをクレーンにより高所の熱風炉設置場所で順次据え付けるようにした場合に比して、据付工程を安全に行うことができ、作業効率の大幅な向上を図ることができる。また、改修熱風炉部分を組立用架構４１内で組み立てるため、地上で熱処理（鉄皮の焼鈍や煉瓦の養生等）を行うことができ、熱処理作業も効率良く安全に行うことができる。
【００４５】
ところで、本発明は上記した実施の形態に限定されるものでなく、本発明の基本原理を逸脱しない範囲において適宜に改良，変更することができる。
【図面の簡単な説明】
【００４６】
【図１】本発明を実施するための架構を示す平面図である。
【図２】同架構の側面図である。
【図３】同架構の正面図である。
【図４】熱風炉の必要部分のみを示す側面図である。
【図５】熱風炉の撤去作業を示す工程図である。
【図６】熱風炉の撤去作業を示す工程図である。
【図７】熱風炉の撤去作業を示す工程図である。
【図８】熱風炉の撤去作業を示す工程図である。
【図９】熱風炉の撤去作業を示す工程図である。
【図１０】熱風炉の撤去作業を示す工程図である。
【図１１】熱風炉の撤去作業を示す工程図である。
【図１２】熱風炉の撤去作業を示す工程図である。
【図１３】熱風炉の据付作業を示す工程図である。
【図１４】熱風炉の据付作業を示す工程図である。
【図１５】熱風炉の据付作業を示す工程図である。
【図１６】熱風炉の据付作業を示す工程図である。
【図１７】熱風炉の据付作業を示す工程図である。
【図１８】熱風炉の据付作業を示す工程図である。
【図１９】熱風炉の据付作業を示す工程図である。
【図２０】熱風炉の据付作業を示す工程図である。
【図２１】熱風炉の据付作業を示す工程図である。
【図２２】熱風炉の据付作業を示す工程図である。
【図２３】熱風炉の据付作業を示す工程図である。
【図２４】熱風炉の据付作業を示す工程図である。
【図２５】熱風炉の据付作業を示す工程図である。
【図２６】図２０（６１）の要部の拡大詳細図である。
【図２７】図２６に示す部分の背面図である。
【図２８】図２０（６３）の要部の拡大詳細図である。
【符号の説明】
【００４７】
１      熱風炉
２      蓄熱炉
２Ａ    蓄熱炉部分（被改修熱風炉部分）
３      燃焼炉
３Ａ    熱風炉部分（被改修熱風炉部分）
４      架構
５      熱風炉設置面
６      移送台車
８      搬出入路
９      搬入用台車
１０    搬出用台車
１１    クレーン
２１    上側ドーム部
２２    下側ドーム部
２３    コニカル部
２４    上側直胴部
２５    下側直胴部
３１    上側ドーム部
３２    下側ドーム部
３３    コニカル部
３４    上側直胴部
３５    中間直胴部
３６    下側直胴部
４１    組立用架構
４１ａ  油圧ジャッキ
４１ｃ  ロッド
４２    蓄熱炉用架構
４３    燃焼炉用架構
４３ａ  搬出入用架台
４４    連結架構
４５    水平移送路
４５ａ  第１水平移送路
４５ｂ  第２水平移送路４５ｂ
４５ｃ  第３水平移送路
【図１】
2005139482.tif 000003
【図２】
2005139482.tif 000004
【図３】
2005139482.tif 000005
【図４】
2005139482.tif 000006
【図５】
2005139482.tif 000007
【図６】
2005139482.tif 000008
【図７】
2005139482.tif 000009
【図８】
2005139482.tif 000010
【図９】
2005139482.tif 000011
【図１０】
2005139482.tif 000012
【図１１】
2005139482.tif 000013
【図１２】
2005139482.tif 000014
【図１３】
2005139482.tif 000015
【図１４】
2005139482.tif 000016
【図１５】
2005139482.tif 000017
【図１６】
2005139482.tif 000018
【図１７】
2005139482.tif 000019
【図１８】
2005139482.tif 000020
【図１９】
2005139482.tif 000021
【図２０】
2005139482.tif 000022
【図２１】
2005139482.tif 000023
【図２２】
2005139482.tif 000024
【図２３】
2005139482.tif 000025
【図２４】
2005139482.tif 000026
【図２５】
2005139482.tif 000027
【図２６】
2005139482.tif 000028
【図２７】
2005139482.tif 000029
【図２８】
2005139482.tif 000030